(57)【特許請求の範囲】
【請求項１】
参照信号を送信するステップと、
下りリンク協力端末から該下りリンク協力端末によって算出されたサービング基地局及び複数の隣接基地局のそれぞれのチャネル利得値、伝播遅延値、及び遅延拡散値を受信するステップと、
前記伝播遅延値及び前記遅延拡散値に基づいて前記複数の隣接基地局のそれぞれの拡張されたサイクリック・プレフィクスの長さを決定するステップと、
前記拡張されたサイクリック・プレフィクスの長さが増加することによって発生するオーバーヘッドと比較してマルチノード協力利得が存在する前記複数の隣接基地局の１つを協力基地局として決定するステップと、を有することを特徴とする無線通信システムのサービング基地局における下りリンクマルチノード協力方法。
【請求項２】
前記拡張されたサイクリック・プレフィクスの長さを決定するステップは、前記隣接基地局のそれぞれに対応する前記伝播遅延値と前記遅延拡散値とを加えた値よりも大きい値を前記拡張されたサイクリック・プレフィクスとして決定することを特徴とする請求項１に記載の無線通信システムのサービング基地局における下りリンクマルチノード協力方法。
【請求項３】
前記決定された協力基地局に下りリンク協力を要請するステップと、
下りリンク協力をスケジューリングするステップと、
前記下りリンク協力端末及び前記協力基地局に下りリンク協力スケジューリング情報を送信するステップと、
前記下りリンク協力スケジューリング情報に基づいて下りリンク協力データを前記下りリンク協力端末及び前記協力基地局に送信するステップと、を更に含むことを特徴とする請求項１に記載の無線通信システムのサービング基地局における下りリンクマルチノード協力方法。
【請求項４】
前記下りリンク協力端末は、前記サービング基地局から前記下りリンク協力データを受信して前記協力基地局から前記下りリンク協力データを受信すると、前記サービング基地局の前記下りリンク協力データと前記協力基地局の前記下りリンク協力データとを結合することを特徴とする請求項３に記載の無線通信システムのサービング基地局における下りリンクマルチノード協力方法。
【請求項５】
端末から参照信号を受信するステップと、
前記参照信号に基づいてサービング基地局のチャネル利得値、伝播遅延値、及び遅延拡散値を算出するステップと、
複数の隣接基地局から前記参照信号に基づいて算出された前記複数の隣接基地局のそれぞれのチャネル利得値、伝播遅延値、及び遅延拡散値を受信するステップと、
前記伝播遅延値及び前記遅延拡散値に基づいて前記複数の隣接基地局のそれぞれの拡張されたサイクリック・プレフィクスの長さを決定するステップと、
前記拡張されたサイクリック・プレフィクスの長さが増加することによって発生するオーバーヘッドと比較してマルチノード協力利得が存在する前記複数の隣接基地局の中から隣接基地局を協力基地局として決定するステップと、を有することを特徴とする無線通信システムのサービング基地局における上りリンクマルチノード協力方法。
【請求項６】
前記拡張されたサイクリック・プレフィクスの長さを決定するステップは、前記隣接基地局のそれぞれに対応する前記伝播遅延値と前記遅延拡散値とを加えた値よりも大きい値を前記拡張されたサイクリック・プレフィクスとして決定することを特徴とする請求項５に記載の無線通信システムのサービング基地局における上りリンクマルチノード協力方法。
【請求項７】
前記決定された協力基地局に上りリンク協力を要請するステップと、
上りリンク協力をスケジューリングするステップと、
前記端末及び前記協力基地局に上りリンク協力スケジューリング情報を送信するステップと、
前記上りリンク協力スケジューリング情報に基づいて上りリンク協力データを前記端末及び前記協力基地局に送信するステップと、を更に含むことを特徴とする請求項５に記載の無線通信システムのサービング基地局における上りリンクマルチノード協力方法。
【請求項８】
前記端末は、前記サービング基地局から前記上りリンク協力データを受信して前記協力基地局から前記上りリンク協力データを受信すると、前記サービング基地局の前記上りリンク協力データと前記協力基地局の前記上りリンク協力データとを結合することを特徴とする請求項７に記載の無線通信システムのサービング基地局における上りリンクマルチノード協力方法。
【発明の詳細な説明】
【技術分野】
【０００１】
本発明は、無線通信システムにおけるマルチノード協力方法に関し、より詳細には、マルチノード協力時に発生する遅延特性に基づいてマルチノード協力に参加する基地局を決定（ｃｌｕｓｔｅｒｉｎｇ）するマルチノード協力方法に関する。
【背景技術】
【０００２】
マルチノード協力は、セルの境界に位置する端末又は受信信号の弱い端末に様々な基地局（又は、送信ノード）が協力して該当端末のための信号を同時に送信して端末の送受信率を高める技術である。セルの境界の端末がマルチノード協力を行うときに協力基地局から送信される信号の伝播遅延（ｐｒｏｐａｇａｔｉｏｎ  ｄｅｌａｙ）の特性は各基地局と端末の距離及び通信環境に応じてそれぞれ異なる。従って、様々な基地局が該当端末のための信号を同時に送信しても端末が受信するときには互いに異なる時点で受信することになる。このように信号がマルチパスによって遅延時間が変わる現象を遅延拡散（ｄｅｌａｙ  ｓｐｒｅａｄ）という。
【０００３】
従来の無線移動通信システムでは遅延拡散に基づいて送信シンボル毎にガードインターバル（ｇｕａｒｄ  ｉｎｔｅｒｖａｌ）を設けている。ガードインターバルは、シンボル間干渉（ＩＳＩ：Ｉｎｔｅｒ  Ｓｙｍｂｏｌ  Ｉｎｔｅｒｆｅｒｅｎｃｅ）を防止する役割を担う。一般的に、ガードインターバル領域ではチャネル間干渉（ＩＣＩ：Ｉｎｔｅｒ  Ｃｈａｎｎｅｌ  Ｉｎｔｅｒｆｅｒｅｎｃｅ）を防ぐために送信シンボルの終端の一部分をコピーして送信する。これをサイクリック・プレフィクス（ＣＰ：Ｃｙｃｌｉｃ  Ｐｒｅｆｉｘ）という。遅延拡散値に応じてＣＰの長さが決定されるが、遅延拡散値よりもＣＰの長さが大きくなければＩＳＩやＩＣＩの問題が発生する。
【０００４】
マルチノード協力の際に、より多くの基地局と協力するほどマルチノード協力利得が増加する。しかし、より多くの基地局を含むほど遅延拡散が増加し、ＣＰの長さも増加させなければならない。ＣＰの長さの増加はオーバーヘッドにより無線リソースの無駄遣いを招く。
【０００５】
即ち、マルチノード協力時に協力基地局の数を増やすことによって増加する性能利得と、それによるＣＰの長さの増加のオーバーヘッド間には互いに相反関係（ｔｒａｄｅ−ｏｆｆ）が存在する。
【発明の概要】
【発明が解決しようとする課題】
【０００６】
本発明の目的は、無線通信システムのサービング基地局における下りリンクマルチノード協力方法及び上りリンクマルチノード協力方法を提供することにある。
【課題を解決するための手段】
【０００７】
上記目的を達成するためになされた本発明の一態様による無線通信システムのサービング基地局における下りリンクマルチノード協力方法は、参照信号を送信するステップと、下りリンク協力端末から該下りリンク協力端末によって算出されたサービング基地局及び複数の隣接基地局のそれぞれのチャネル利得値、伝播遅延値、及び遅延拡散値を受信するステップと、前記伝播遅延値及び前記遅延拡散値に基づいて前記複数の隣接基地局のそれぞれの拡張されたサイクリック・プレフィクスの長さを決定するステップと、前記拡張されたサイクリック・プレフィクスの長さが増加することによって発生するオーバーヘッドと比較してマルチノード協力利得が存在する前記複数の隣接基地局の１つを協力基地局として決定するステップと、を有する。
【０００８】
前記拡張されたサイクリック・プレフィクスの長さを決定するステップは、前記隣接基地局のそれぞれに対応する前記伝播遅延値と前記遅延拡散値とを加えた値よりも大きい値を前記拡張されたサイクリック・プレフィクスとして決定してもよい。
前記決定された協力基地局に下りリンク協力を要請するステップと、下りリンク協力をスケジューリングするステップと、前記下りリンク協力端末及び前記協力基地局に下りリンク協力スケジューリング情報を送信するステップと、前記下りリンク協力スケジューリング情報に基づいて下りリンク協力データを前記下りリンク協力端末及び前記協力基地局に送信するステップと、を更に含んでもよい。
前記下りリンク協力端末は、前記サービング基地局から前記下りリンク協力データを受信して前記協力基地局から前記下りリンク協力データを受信すると、前記サービング基地局の前記下りリンク協力データと前記協力基地局の前記下りリンク協力データとを結合してもよい。
【０００９】
上記目的を達成するためになされた本発明の一態様による無線通信システムのサービング基地局における上りリンクマルチノード協力方法は、端末から参照信号を受信するステップと、前記参照信号に基づいてサービング基地局のチャネル利得値、伝播遅延値、及び遅延拡散値を算出するステップと、複数の隣接基地局から前記参照信号に基づいて算出された前記複数の隣接基地局のそれぞれのチャネル利得値、伝播遅延値、及び遅延拡散値を受信するステップと、前記伝播遅延値及び前記遅延拡散値に基づいて前記複数の隣接基地局のそれぞれの拡張されたサイクリック・プレフィクスの長さを決定するステップと、前記拡張されたサイクリック・プレフィクスの長さが増加することによって発生するオーバーヘッドと比較してマルチノード協力利得が存在する前記複数の隣接基地局の中から隣接基地局を協力基地局として決定するステップと、を有する。
【００１０】
前記拡張されたサイクリック・プレフィクスの長さを決定するステップは、前記隣接基地局のそれぞれに対応する前記伝播遅延値と前記遅延拡散値とを加えた値よりも大きい値を前記拡張されたサイクリック・プレフィクスとして決定してもよい。
前記決定された協力基地局に上りリンク協力を要請するステップと、上りリンク協力をスケジューリングするステップと、前記端末及び前記協力基地局に上りリンク協力スケジューリング情報を送信するステップと、前記上りリンク協力スケジューリング情報に基づいて上りリンク協力データを前記端末及び前記協力基地局に送信するステップと、を更に含んでもよい。
前記端末は、前記サービング基地局から前記上りリンク協力データを受信して前記協力基地局から前記上りリンク協力データを受信すると、前記サービング基地局の前記上りリンク協力データと前記協力基地局の前記上りリンク協力データとを結合してもよい。
【００１１】
上記目的を達成するためになされた本発明の他の態様による無線通信システムのサービング基地局における上りリンクマルチノード協力方法は、上りリンク協力端末から上りリンク協力データを受信するステップと、協力基地局から該協力基地局で受信された前記上りリンク協力端末のそれぞれの前記上りリンク協力データを受信するステップと、前記協力基地局から該協力基地局で算出された前記上りリンク協力端末のそれぞれの遅延属性を受信するステップと、類似の遅延属性を有する前記上りリンク協力端末が同じ上りリンク協力領域に位置するように前記上りリンク協力端末をスケジューリングするステップと、を有する。
【００１２】
前記スケジューリングするステップは、上りリンクを前記上りリンク協力領域と非協力領域とに分類し、前記類似の遅延属性を有する前記上りリンク協力端末が同じ前記上りリンク協力領域に位置するように前記上りリンク協力端末をスケジューリングしてもよい。
前記スケジューリングするステップは、前記上りリンク協力領域と非協力領域との間に保護区間を挿入してもよい。
スケジューリング情報を前記上りリンク協力端末及び前記協力基地局に送信するステップと、前記上りリンク協力領域のフレームワーク情報を前記上りリンク協力端末に送信するステップと、を更に含んでもよい。
前記上りリンク協力領域のフレームワーク情報は、前記上りリンク協力領域のフレーム構造、保護区間の長さ、サイクリック・プレフィクスの長さ、及びデータの長さに関する情報を含んでもよい。
前記上りリンク協力領域のフレームワーク情報において、前記上りリンク協力領域の最後のシンボルに含まれるデータの長さは、前記上りリンク協力領域の次に位置する非協力領域に干渉されないように短くされてもよい。
前記協力基地局は、前記スケジューリング情報を受信すると、非協力領域のフレームワーク情報を前記協力基地局に属する上りリンク非協力端末に送信してもよい。
前記非協力領域のフレームワーク情報が前記上りリンク協力領域の次に位置する場合、前記非協力領域のフレームワーク情報は６個のシンボルを含み、該６個のシンボルのそれぞれは拡張されたサイクリック・プレフィクスを含んでもよい。
前記非協力領域のフレームワーク情報が前記上りリンク協力領域の次に位置する場合、前記非協力領域の最初のシンボルは、拡張されたサイクリック・プレフィクス及び該拡張されたサイクリック・プレフィクスの拡張分だけ短くなった長さを有するデータを含んでもよい。
前記非協力領域のフレームワーク情報が前記上りリンク協力領域の次に位置する場合、前記非協力領域の最初のシンボルに保護区間が挿入され、該最初のシンボルは前記保護区間の長さだけ短くなった長さを有するデータ含んでもよい。
【発明の効果】
【００１３】
本発明の無線通信システムにおける遅延を考慮したマルチノード協力方法は、上りリンク協力時に、類似の遅延属性を有する上りリンク協力端末が上りリンク協力領域に区分されるようスケジューリングし、チャネル間干渉を防止することのできるフレーム構造を提供する。これにより、サイクリック・プレフィクスの長さが増加することによって発生するオーバーヘッドを減らすことができる。また、マルチノード協力によって増加する性能利得とサイクリック・プレフィクスの長さの増加によるオーバーヘッドの増加との相反関係（ｔｒａｄｅ−ｏｆｆ）の問題が解決される。
【図面の簡単な説明】
【００１４】
【図１】無線通信システムにおける下りリンク協力基地局を決定する処理の一例を示す図である。
【図２】無線通信システムの下りリンクマルチノード協力時に発生する伝播遅延及び遅延拡散の例を示す図である。
【図３】無線通信システムにおける上りリンク協力基地局を決定する処理の一例を示す図である。
【図４】無線通信システムの上りリンクマルチノード協力時に発生する伝播遅延及び遅延拡散の例を示す図である。
【図５】無線通信システムにおけるマルチノード協力を通した上りリンク通信処理の一例を示す図である。
【図６】上りリンクマルチノード協力に対応するフレーム構造の一例を示す図である。
【図７】上りリンクマルチノード協力に対応するフレーム構造の他の例を示す図である。
【図８】上りリンクマルチノード協力に対応するフレーム構造の更に他の例を示す図である。
【図９】上りリンクマルチノード協力に対応するフレーム構造の更に他の例を示す図である。
【発明を実施するための形態】
【００１５】
本発明は、マルチノード協力時に発生する遅延特性を考慮してマルチノード協力に参加する基地局を決定し、マルチノード協力を行う方法に関する。以下、本発明を実施するための形態の具体例を、図面を参照しながら詳細に説明する。
【００１６】
下記の説明において、上りリンクマルチノード協力を上りリンク協力といい、下りリンクマルチノード協力を下りリンク協力という。
【００１７】
図１は、無線通信システムにおける下りリンク協力基地局を決定する処理の一例を示す図である。
【００１８】
図１を参照すると、下りリンク協力端末１２０は、サービング基地局１１０から参照信号１４１を受信し、隣接基地局１３０、１３２から、それぞれ参照信号１４２、１４３を受信する。ステップ１４６で、下りリンク協力端末１２０は、受信したそれぞれの参照信号１４１、１４２、１４３に基づいてサービング基地局１１０及び隣接基地局１３０、１３２のそれぞれのチャネル利得値Ｈｉを測定する。ステップ１４８で、下りリンク協力端末１２０は、受信したそれぞれの参照信号１４１、１４２、１４３に基づいてサービング基地局１１０及び隣接基地局１３０、１３２のそれぞれの遅延属性値を測定する。遅延属性値は、伝播遅延値（Ｄｐｉ）と遅延拡散値（Ｄｓｉ）を含む。
【００１９】
ステップ１４９で、下りリンク協力端末１２０は、測定したチャネル利得値及び遅延属性値の両方をサービング基地局１１０に送信する。
【００２０】
サービング基地局１１０は、下りリンク協力端末１２０からチャネル利得値及び遅延属性値を受信すると、ステップ１５０で、隣接基地局１３０、１３２のそれぞれに対応する伝播遅延値と遅延拡散値とを加えた値よりも大きい値を、拡張されたサイクリック・プレフィクスとして決定する。
【００２１】
ステップ１５２で、サービング基地局１１０は、拡張されたサイクリック・プレフィクスの長さが増加することによって発生するオーバーヘッドと比較してマルチノード協力利得が存在する協力基地局となる隣接基地局１３０を決定する。以下の説明において、協力基地局として決定された隣接基地局１３０を協力基地局１３０と称する。
【００２２】
ステップ１５３で、サービング基地局１１０は、決定された協力基地局１３０に下りリンク協力要請信号１５３を送信する。サービング基地局１１０は、協力基地局１３０が下りリンク協力要請を受諾すると、ステップ１５４で下りリンク協力をスケジューリングし、続けて下りリンク協力端末１２０及び協力基地局１３０に下りリンク協力スケジューリング情報１５５をそれぞれ送信する。
【００２３】
サービング基地局１１０は、下りリンク協力スケジューリング情報１５５に基づいて、下りリンク協力データ１５６も下りリンク協力端末１２０及び協力基地局１３０にそれぞれ送信する。そして、協力基地局１３０は、下りリンク協力データ１５７を下りリンク協力端末に転送する。
【００２４】
下りリンク協力端末１２０は、サービング基地局１１０から下りリンク協力データ１５６を受信し、協力基地局１３０から下りリンク協力データ１５７を受信すると、ステップ１５８で、サービング基地局１１０の下りリンク協力データ１５６と協力基地局１３０の下りリンク協力データ１５７とを結合する。
【００２５】
図１を参照して上記したステップ１５０で拡張されたサイクリック・プレフィクスの長さを決定する方法と、ステップ１５２で協力基地局を決定する方法については図２を参照して詳細に後述する。
【００２６】
図２は、無線通信システムの下りリンクマルチノード協力時に発生する伝播遅延及び遅延拡散の例を示す図である。
【００２７】
図２を参照すると、隣接基地局１３０がマルチノード協力を提供するためには、測定される遅延拡散値に基づいてサイクリック・プレフィクス（ＣＰ：Ｃｙｃｌｉｃ  Ｐｒｅｆｉｘ）の長さを調整しなければならない。拡張されたサイクリック・プレフィクスの長さは下記の数式（１）を満足するように決定される。
【００２８】
【数１】
0005580422.tif 000002
【００２９】
ここで、ｉは隣接基地局を表し、ＬｉＣＰは隣接基地局と下りリンク協力を行うときに必要なサイクリック・プレフィクスの長さを表し、ＤｉＰは隣接基地局から受信される信号と現在のサービング基地局から受信される信号との間の遅延差を表し、ＤｉＳは隣接基地局の遅延拡散値を表す。
【００３０】
図２を参照すると、上記数式（１）による拡張されたサイクリック・プレフィクスの長さが増加することによって発生するオーバーヘッドに比較してマルチノード協力利得が存在する場合、該当の隣接基地局１３０を協力基地局１３０として決定する。例えば、下記の数式（２）を満足する場合に、該当の隣接基地局１３０を協力基地局１３０として決定する。
【００３１】
【数２】
0005580422.tif 000003
【００３２】
ここで、ＲｉＣｏＭＰは隣接基地局１３０と下りリンク協力を行うときの端末の受信容量を表し、ＲＮｏＣｏＭＰは下りリンク協力を行わないときの端末の受信容量を表し、ＬｉＣＰは隣接基地局１３０と下りリンク協力を行うときに必要なサイクリック・プレフィクスの長さを表し、ＬＣＰは下りリンク協力を行わないときの一般的なサイクリック・プレフィクスの長さを表し、Ｌｉｄａｔａは隣接基地局１３０と下りリンク協力を行うときに入力可能なデータの長さを表し、Ｌｄａｔａは下りリンク協力を行わないときの一般的に入力可能なデータの長さを表す。
【００３３】
図３は、無線通信システムにおける上りリンク協力基地局を決定する処理の一例を示す図である。図３を参照すると、上りリンク協力端末３２０は、サービング基地局３１０及び隣接基地局３３０、３３２に参照信号３４１をそれぞれ送信する。
【００３４】
参照信号３４１を受信したサービング基地局３１０は、ステップ３４２で上りリンク協力端末３２０のチャネル利得値を測定し、ステップ３４３で上りリンク協力端末３２０の遅延属性値を測定する。
【００３５】
参照信号３４１を受信した隣接基地局３３０、３３２のそれぞれは、ステップ３４４で上りリンク協力端末３２０のチャネル利得値を測定し、ステップ３４６で上りリンク協力端末３２０の遅延属性値を測定する。続けて、ステップ３４７で、隣接基地局３３０、３３２は、測定したチャネル利得値及び遅延属性値をサービング基地局３１０に送信する。
【００３６】
隣接基地局３３０、３３２のそれぞれからチャネル利得値及び遅延属性値をそれぞれ受信したサービング基地局３１０は、ステップ３４８で、隣接基地局３３０、３３２のそれぞれの伝播遅延値と遅延拡散値とを加えた値よりも大きい値を、拡張されたサイクリック・プレフィクスとして決定する。ステップ３４９で、サービング基地局３１０は、拡張されたサイクリック・プレフィクスの長さが増加することによって発生するオーバーヘッドと比較してマルチノード協力利得が存在する協力基地局となる隣接基地局３３０を決定する。以下の説明で、協力基地局として決定された隣接基地局３３０を協力基地局３３０と称する。
【００３７】
ステップ３５０で、サービング基地局３１０は、決定された協力基地局３３０に上りリンク協力要請信号を送信する。サービング基地局３１０は、協力基地局３３０が上りリンク協力要請を受諾すると、ステップ３５１で上りリンク協力をスケジューリングし、上りリンク協力端末３２０及び協力基地局３３０に上りリンク協力スケジューリング情報３５２をそれぞれ送信する。
【００３８】
上りリンク協力端末３２０は、上りリンク協力スケジューリング情報を受信すると、上りリンク協力スケジューリング情報３５２に基づいて、上りリンク協力データ３５３をサービング基地局３１０及び協力基地局３３０にそれぞれ送信する。続けて、協力基地局３３０は、上りリンク協力データ３５４をサービング基地局３１０に転送する。
【００３９】
協力基地局３３０が上りリンク協力端末３２０から上りリンク協力データ３５３を受信してサービング基地局３１０が協力基地局３３０から上りリンク協力データ３５４を受信すると、サービング基地局３１０は、ステップ３５５で、受信した上りリンク協力データ３５３と転送された上りリンク協力データ３５４とを結合する。
【００４０】
図４は、無線通信システムの上りリンクマルチノード協力時に発生する伝播遅延及び遅延拡散の例を示す図である。
【００４１】
下りリンク協力とは異なって、上りリンク協力の場合は、協力基地局３３０内の上りリンク協力端末３２０と非協力端末４４０との間に遅延拡散が増加するという問題が発生する。増加する遅延拡散値に応じてサイクリック・プレフィクスの長さを増加させなければならない。拡張されたサイクリック・プレフィクスの長さは下記の数式（３）を満足するように決定される。
【００４２】
【数３】
0005580422.tif 000004
【００４３】
ここで、ｉは隣接基地局を表し、ＬｉＣＰは隣接基地局３３０と上りリンク協力を行うときに必要なサイクリック・プレフィクスの長さを表し、ＤｉＰは隣接基地局３３０で受信される非協力端末４４０の信号と上りリンク協力端末３２０の信号との間の遅延差を表し、ＤｉＳは上りリンク協力端末３２０の遅延拡散値を表す。
【００４４】
図４を参照すると、上記数式（３）による拡張されたサイクリック・プレフィクスの長さが増加することによって発生するオーバーヘッドに比較して上りリンク協力利得が存在する場合、該当の隣接基地局３３０を協力基地局３３０として決定する。例えば、下記の数式（４）を満足する場合に、該当の隣接基地局３３０と上りリンク協力を行う。
【００４５】
【数４】
0005580422.tif 000005
【００４６】
ここで、ＲｉＣｏＭＰは隣接基地局３３０とマルチノード協力を行うときのサービング基地局の受信容量を表し、ＲＮｏＣｏＭＰはマルチノード協力を行わないときのサービング基地局３１０の受信容量を表し、ＬｉＣＰは隣接基地局３３０と上りリンク協力を行うときに必要なサイクリック・プレフィクスの長さを表し、ＬＣＰは上りリンク協力を行わないときの一般的なサイクリック・プレフィクスの長さを表し、Ｌｉｄａｔａは隣接基地局３３０と上りリンク協力を行うときに入力可能なデータの長さを表し、Ｌｄａｔａは上りリンク協力を行わないときの一般的に入力可能なデータの長さを表す。
【００４７】
図５は、無線通信システムにおけるマルチノード協力を通した上りリンク通信処理の一例を示す図であり、サービング基地局５１０の効果的な上りリンク協力スケジュールリングを示す図である。
【００４８】
図５を参照すると、上りリンク協力端末５２０、５２２は、サービング基地局５１０及び協力基地局５３０に上りリンク協力データ５５１を送信する。
【００４９】
図５を参照すると、協力基地局５３０は、非協力端末５４０、５４２から上りリンク非協力データ５５２をそれぞれ受信し、上りリンク協力端末５２０、５２２から上りリンク協力データ５５１をそれぞれ受信する。ステップ５５３で、協力基地局５３０は、上りリンク協力データをサービング基地局５１０に送信し、ステップ５５４で、協力基地局５３０は、上りリンク協力端末５２０、５２２のそれぞれの遅延属性をそれぞれ測定する。遅延属性値は伝播遅延値及び遅延拡散値を含む。ステップ５５５で、協力基地局５３０は、上りリンク協力端末５２０、５２２で測定されたそれぞれの遅延属性をサービング基地局５１０に送信する。
【００５０】
サービング基地局５１０は、協力基地局５３０から上りリンク協力端末５２０、５２２のそれぞれの遅延属性を受信すると、ステップ５５６で、類似する遅延属性を有する上りリンク協力端末が同じ上りリンク協力領域に位置するように上りリンク協力をスケジューリングする。
【００５１】
サービング基地局５１０は、上りリンク協力端末５２０、５２２のそれぞれと協力基地局５３０にスケジュールリング情報５５７を送信する。サービング基地局５１０は、上りリンク協力端末５２０、５２２に上りリンク協力領域のフレームワーク情報５５９をそれぞれ送信する。
【００５２】
上りリンク協力端末５２０、５２２は、上りリンク協力領域のフレームワーク情報５５９を受信すると、ステップ５６０でフレーム構造を適用する。上りリンク協力端末５２０、５２２は、フレームワーク情報に基づいてフレーム構造が適用された上りリンク協力データ５６２をサービング基地局５１０及び協力基地局５３０にそれぞれ送信する。
【００５３】
協力基地局５３０は、非協力領域のフレームワーク情報５５８を非協力端末５４０、５４２に送信する。
【００５４】
ステップ５６１で、非協力端末５４０、５４２は、非協力領域のフレームワーク情報５５８に基づいてフレーム構造を適用し、ステップ５６３で、非協力端末５４０、５４２は、非協力領域のフレームワーク情報５５８に基づいてフレーム構造が適用された上りリンク非協力データ５６３を協力基地局５３０に送信する。
【００５５】
以下、シンボル間干渉（ＩＳＩ：Ｉｎｔｅｒ  Ｓｙｍｂｏｌ  Ｉｎｔｅｒｆｅｒｅｎｃｅ）又はチャネル間干渉（ＩＣＩ：Ｉｎｔｅｒ  Ｃｈａｎｎｅｌ  Ｉｎｔｅｒｆｅｒｅｎｃｅ）を防止する非協力領域のフレームワーク情報と上りリンク協力領域のフレームワーク情報によるフレーム構造の種類について図６〜図９を参照して説明する。
【００５６】
図６は、上りリンクマルチノード協力に対応するフレーム構造の一例を示す図である。図６を参照すると、フレーム構造は、上りリンク協力領域６１０と非協力領域６２０との間に保護区間（Ｇｕａｒｄ  Ｉｎｔｅｒｖａｌ）６３０が挿入されてＩＳＩ又はＩＣＩを防止する。拡張されたサイクリック・プレフィクスに替えて、上りリンク協力領域６１０及び非協力領域６２０に対応する一般的なサイクリック・プレフィクスを用いてもよい。
【００５７】
上りリンク協力領域６１０は、類似の遅延属性を有する上りリンク協力端末に対応する上りリンク協力通信を提供する上りリンク領域を示し、非協力領域６２０は、非協力端末に対応する上りリンク通信を提供する上りリンク領域を示す。
【００５８】
図７は、上りリンクマルチノード協力に対応するフレーム構造の他の例を示す図である。図７を参照すると、フレーム構造において、上りリンク協力領域７１０の次に位置する非協力領域７２０は、その他の非協力領域及び上りリンク協力領域７１０よりもシンボル及びスロットが１つ少ない６スロットに６個のシンボルを含み、６個のシンボルのそれぞれは拡張されたサイクリック・プレフィクス７２２を含む。
【００５９】
図８は、上りリンクマルチノード協力に対応するフレーム構造の更に他の例を示す図である。図８を参照すると、フレーム構造は、上りリンク協力領域８１０の次に位置する非協力領域８２０に干渉されないように上りリンク協力領域８１０の最後シンボルに含まれるデータ８１２の長さを短くすることができる。
【００６０】
図９は、上りリンクマルチノード協力に対応するフレーム構造の更に他の例を示す図である。図９を参照すると、フレーム構造は、上りリンク協力領域９１０の次に位置する非協力領域９２０で最初のシンボルが拡張されたサイクリック・プレフィクス９２２及びサイクリック・プレフィクス９２２の拡張分だけ短くなった長さを有するデータ９２４を含む。或いは、フレーム構造は、非協力領域９２０の最初のシンボルに保護区間９２６が挿入され、最初のシンボルに保護区間９２６の長さだけ短くなった長さを有するデータ９２４を含む。
【００６１】
上述したように、本発明を限定した実施形態と図面によって説明したが、本発明は、上述の実施形態に限定されるものではなく、本発明が属する分野における通常の知識を有する者であれば、このような実施形態から多様な修正及び変形が可能である。従って、本発明の範囲は、開示された実施形態に限定されるものではなく、特許請求の範囲だけではなく特許請求の範囲と均等なものなどによって定められるものである。
【符号の説明】
【００６２】
１１０、３１０、５１０    サービング基地局
１２０    下りリンク協力端末
１３０、３３０    隣接基地局（協力基地局）
３２０、５２０    上りリンク協力端末
４４０、５４０    非協力端末
５３０    協力基地局
【図１】
0005580422.tif 000006
【図２】
0005580422.tif 000007
【図３】
0005580422.tif 000008
【図４】
0005580422.tif 000009
【図５】
0005580422.tif 000010
【図６】
0005580422.tif 000011
【図７】
0005580422.tif 000012
【図８】
0005580422.tif 000013
【図９】
0005580422.tif 000014